(57)【特許請求の範囲】
【請求項１】
テンション付与マスク（２４）−支持フレーム組立体を有するカラー受像管（１０）であって、前記マスク及び前記各支持フレームは矩形形状をなし、且つその中央長軸（Ｘ）に平行な２つの長辺（３２、３４、４２、４４）とその中央短軸（Ｙ）に平行な２つの短辺（３６、３８、４６、４８）を持ち、
前記フレームは前記長軸に平行な２つの第１部材と、前記第１部材の端部に取り付けられ前記短軸に平行な第２部材を含み、前記第２部材はピンチされた部分を持つ改良がなされたカラー受像管。
【請求項２】
前記第２部材は互いに分離した２つの平行な分離された部分（６０、６２）であり、一方の平行な分離部分（６０）は前記ピンチされた部分７２を含む請求項１に記載されたカラー受像管。
【請求項３】
ピンチされた部分７２を含む前記部分６０は、前記中央長軸（Ｘ）と前記管の長手軸（Ｚ）に平行な面において、２つのフランジ（６６、６８）により形成される略Ｌ字形の断面を持ち、前記第１のフランジ（６６）は第２のフランジ（６８）を越えて第１の部材５０に延び、前記ピンチされた部分（７２）は前記第１のフランジの延長された部分にある請求項２に記載のカラー受像管。
【発明の詳細な説明】
【０００１】
本発明は、テンションがかけられたマスク支持フレームを有するカラー受像管に係り、特に、支持フレームに取り付けられたテンションがかけられたマスクを持つマスク−支持フレーム組立体を持つ受像管に関する。
【０００２】
発明の背景
カラー受像管は、受像管のスクリーンに向けて３本の電子ビームを発生し、発射する電子銃を含む。スクリーンは受像管のフェースプレートの内側面に位置し、３つの異なる色の発光体の素子のアレイから作られる。シャドウマスク又はフォーカスマスクからなるカラー選択電極が銃とスクリーンとの間に配置され、各電子ビームを関連するビームのみが発光素子に当たるようにされる。シャドウマスクはスチールのような金属の薄いシートからなり、受像管のフェースプレートの内側面に平行となるようにやや曲面状とされている。フォーカスマスクは、互いに直交し、通常は絶縁層で分離された2重の導電線のセットからなる。
【０００３】
一つのタイプの受像管はフェースプレートパネル内にテンションのかけられたシャドウマスクを持っている。マスクのテンションを維持するため、マスクは比較的質量の大きいフレームに取り付ける必要がある。このような受像管は広く消費者の間で受け入れられているが、このような受像管の重量とマスクフレーム組立体のコストを減らし、続く高熱のプロセスにおいてテンションを維持するためのプロセスを簡単にするための更なる改良が求められている。
【０００４】
本発明の要約
本発明は、テンションの付与されたマスク及び支持フレーム組立体を持つカラー受像管の改良を提供するものである。各マスク及び支持フレームは矩形で中央長軸に平行な２つの長辺と、中央短軸に平行な２つの短辺を有している。この改良は、長軸と平行な２つの第１の部材と短軸に平行な第１の部材のそれぞれに取り付けられている２つの第２の部材を有している。第２の部材のそれぞれはその部材を引き延ばすピンチされたセクションを含んでいる。
【０００５】
図面の簡単な説明
図1は本発明の実施例のカラー受像管の部分的断面側面図である。
【０００６】
図2はテンション付与シャドウマスクのフレーム組立体の斜視図である。
【０００７】
図3はフォーカスマスクフレーム組立体の斜視図である。
【０００８】
図４はマスクフレームの斜視図である。
【０００９】
図5は図2のマスクフレーム組立体の部分的斜視図である。
【００１０】
図6は他の処理の後の図5のマスクフレーム組立体の部分的斜視図である。
【００１１】
好ましい実施例の詳細な説明
図1は、矩形のフェースプレートパネル１２と、矩形のファネル１５により結合される管状ネック１４を有するガラスエンベロープ１１を持つカラー受像管１０を示す。ファネル１５は陽極ボタン１６からネック１４に延びる内側導電コーティング（図示せず）を有している。パネル１２は実質的に円筒状のビュウイングフェースプレート１８と、ガラスフリット１７によりファネル１５にシールされた周辺フランジ又はサイドウォールを有している。3色発光スクリーン２２はフェースプレート１８の内側面により支持されている。スクリーン２２はトライアッドに配列された発光体ラインを有するラインスクリーンで、各トライアッドは3色の各発光体ラインを含んでいる。カラー選択電極、即ちテンション付与マスク２４はスクリーン２２に所定の間隔をおいて取り外し可能に設けられている。テンション付与マスク２４はシャドウマスク又はフォーカスマスクのいずれでもよい。図1に図式的に点線で示されている電子銃２６はネック１４内に中央に設けられており、中央ビームと２つのサイドビームの３本の入射ビームをマスク２４を通しスクリーン２２に向けて収束経路に沿って発生し向けている。受像管１０はファネル−ネック接続部の近傍に示されたヨーク３０のような、外部の偏向ヨークとともに使用されるように設計されている。励起されると、ヨーク３０は３本のビームを、ビームがスクリーン２２上の矩形ラスター内で水平方向及び垂直方向にスキャンするように磁界を受けさせる。
【００１２】
図2においてテンション付与シャドウマスク２４の形態で示されているテンション付与マスクは、２つの長辺３２、３４と、２つの短辺３６、３８を含む。２つの長辺３２、３４は、マスクの中央長軸Ｘに平行で、２つの短辺３６、３８は、マスクの中央の短軸Ｙに平行である。図2に示されているシャドウマスク２４はマスクの短軸に平行な細長い多重のスリットを含む開口部分を含んでいる。各スリットは、マスクの一方の長辺近傍から他方の辺の近傍に向けて延びている。シャドウマスクの他の形態は、図３に示されるテンション付与フォーカスマスク２４’である。テンション付与フォーカスマスク２４’は互いに直交し、絶縁部材（図示せず）で分離された導電線２５と２７の2重のセットを含んでいる。テンション付与シャドウマスク２４又はテンション付与フォーカスマスク２４’のいずれの使用のためにも使用されるフレーム４０が、図4に示されている。フレーム４０は、管の長軸Ｘに実質的に平行な２つの長辺４２、４４と、管の短軸Ｙに平行な短辺４６、４８の４辺を含む。図５と図6により詳細に示されるように、２つの辺４２と４４は堅固セクション５０と堅固セクションより片持ち梁で支持される追従セクション５２を含む。堅固セクション５０は中空の管で追従セクション５２は金属プレートである。追従セクション５２は各セクションの中央から長さ方向にその部分の端部にわたり高さが変化しており、マスク全体にわたり最良のテンションがかかるようにされている。各短辺４６、４８は平板の棒状の低部部分６２から離れて平行なＬ字形断面の上部部分６０を持っている。テンション付与マスク２４の２つの長辺は追従セクション５２の端部に溶接されている。各短辺の上部部分６０は長辺の堅固セクション５０に堅固に取り付けることを確保するために必要な点６４で溶接されている。短辺の低部部分６２は両方の堅固セクション５０の低部に強固に溶接されている。上部部分は互いに９０°の２つのフランジ６６と６８を持っている。フランジ６６は中央長手軸Ｚに直交し、フランジ６８はＺ軸に平行である。好ましくは、上部部分６０の一端において、フランジ６６はフランジ６８の上方に延び、その端部でフランジ６６のみが堅固セクション５０に接触し溶接できるようにする。フランジ６８を越えて延びるフランジ６６の部分７０は、これまでマスク−フレ−ムの製造の際の高温に曝されてることにより減少していたマスク２４のテンションを増すのに使用される位置を与える。そのようなプロセスに続いて、好ましくはピンチ装置のような機械的手段を用いた部分７０をピンチする方法のような機械的手段により、部分７０が引き伸ばされる。ピンチの幅及び深さが部分７０の延びを制御する。さらに、ピンチは、図６にピンチ７２により示されるように、部分７０の両面に存在するか、または、一方の面に限られる。また、部分７０はフランジ６６の両端に含むようにしてもよいし、その中間に位置させてもよい。ピンチ７０を有するマスク−フレーム組立体は図６に示されている。この目的のため、ピンチングは金属に対し押し付けて金属を圧縮して引き伸ばす。
【００１３】
好ましい実施例においては、長辺部材４２、４４の堅固セクション５０は壁厚が０．１７５ｃｍの４１３０スチールの角形の中空管である。追従セクション５２の厚みは、マスクの厚みと、マスク−フレーム組立体の全体の可撓性と、歪みの許容限度を考慮して決定される。さらに好ましい実施例においては、追従セクション５２は０．１５７ｃｍの厚さの４１３０スチールプレートである。追従セクションは、また、ステンレススチール／ステンレススチール、またはステンレススチール／インヴァーのようなバイメタルプレートとすることができる。２つの上部部分６０は好ましくは厚さ０．３１８ｃｍのＣＲＳ−１０１８スチールである。２つの低部部分６２は好ましくは、上部部分のＣＲＳ−１０１８スチールと異なる熱膨張率を有する３００Seriesステンレススチールである。フレーム４０が加熱されると、低部部分６２は上部部分６０より多く膨張する。直線部材と曲線部材の間の可撓性のある連結のため、低部部分６２と上部部分６０の間の熱膨張の差が、高温工程の間、追従セクション５２内のストレスとマスク２４内のテンションを解放する。
【００１４】
堅固セクション５０は、角形の中空管として示されているが、他の好ましい形状、例えば、断面がＬ形状、Ｃ形状または三角形状のものもこれらのセクションに使用できる。更に、短辺４６、４８はＬ形断面を持つものとして示されているが、他の好ましい形状はＣ形、三角、又はボックス形状である。
【図面の簡単な説明】
【図１】  本発明の実施例のカラー受像管の部分的断面側面図である。
【図２】  テンション付与シャドウマスクのフレーム組立体の斜視図である。
【図３】  フォーカスマスクフレーム組立体の斜視図である。
【図４】  マスクフレームの斜視図である。
【図５】  図2のマスクフレーム組立体の部分的斜視図である。
【図６】  他の処理の後の、図5のマスクフレーム組立体の部分的斜視図である。
【図１】
0003746425.tif 000002
【図２】
0003746425.tif 000003
【図３】
0003746425.tif 000004
【図４】
0003746425.tif 000005
【図５】
0003746425.tif 000006
【図６】
0003746425.tif 000007